(57)【要約】【課題】無線基地局内の固定無線局における動作異常を検知し、異常の検知に伴い固定無線局の復帰操作を行う復帰処理装置及び復帰処理方法を提供することを目的とする。【解決手段】スレーブ制御部２０のマスター動作異常検知部２１がマスター制御部１０の動作異常を検知すると、スレーブ制御部２０は、動作状況確認用シリアルポート線４０を介して異常検出信号と、マスター用強制リセット信号線４１を介して強制リセット信号とをマスター制御部１０へ送信し、マスター制御部１０は、これらの信号を受信すると、中継動作を停止して正常復帰処理を行うとともに、スレーブ用強制リセット信号線４２を介して強制リセット信号をスレーブ制御部２０へ送信し、スレーブ制御部２０は、これを受信すると、同様の正常復帰処理を行う。【選択図】      図１
2007300345.tif 000002
【特許請求の範囲】
【請求項１】
複数の移動無線局が、所定の無線基地局の所定の固定無線局に属し、前記固定無線局が、前記無線基地局間及び／又は前記無線基地局内間で、互いに通信動作状況を確認し合いながら、前記無線基地局間又は前記無線基地局内の前記移動無線局間の通信の中継を行う前記固定無線局の動作異常の正常復帰を行う固定無線局の復帰処理装置であって、
前記固定無線局は、マスター制御部とスレーブ制御部と送受信部とイーサネット（登録商標）制御部とを有し、
前記スレーブ制御部はマスター動作異常検知部を有し、前記マスター制御部と前記スレーブ制御部とは動作状況確認用シリアルポート線とマスター用強制リセット信号線とスレーブ用強制リセット信号線とで接続され、
前記スレーブ制御部の前記マスター動作異常検知部が前記マスター制御部の動作異常を検知すると、前記スレーブ制御部は、前記マスター用強制リセット信号線を介して強制リセット信号を前記マスター制御部へ送信し、
前記マスター制御部は、前記強制リセット信号を受信すると、前記中継動作を停止し、前記正常復帰処理を行うとともに、前記スレーブ用強制リセット信号線を介して強制リセット信号を前記スレーブ制御部へ送信し、
前記スレーブ制御部は、前記強制リセット信号を受信すると、同様に前記正常復帰処理を行うことを特徴とする固定無線局の復帰処理装置。
【請求項２】
前記マスター制御部は、スレーブ動作異常検知部を有し、
前記マスター制御部の前記スレーブ動作異常検知部が前記スレーブ制御部の動作異常を検知し、マスター制御部１０は、前記スレーブ用強制リセット信号線を介して強制リセット信号を前記スレーブ制御部へ送信し、
前記スレーブ制御部は、前記強制リセット信号を受信すると、前記中継動作を停止し、前記正常復帰処理を行うことを特徴とする請求項１に記載の固定無線局の復帰処理装置。
【請求項３】
前記マスター制御部は、さらにリセット指令分析部を有し、
前記無線基地局間又は前記無線基地局内の前記移動無線局間の通信の中継を行っている相手側の前記固定無線局のマスター制御部が動作異常を検知してリセット指令信号を自局へ送信すると、前記リセット指令分析部は前記リセット指令信号を検知して前記マスター制御部へ転送し、
前記マスター制御部は前記リセット指令信号を受信すると前記中継動作を停止し、前記正常復帰処理を行うとともに、前記スレーブ用強制リセット信号線を介して強制リセット信号を前記スレーブ制御部へ送信し、
前記スレーブ制御部は、前記強制リセット信号を受信すると、同様に前記正常復帰処理を行うことを特徴とする請求項１又は２に記載の固定無線局の復帰処理装置。
【請求項４】
複数の移動無線局が、所定の無線基地局の所定の固定無線局に属し、前記固定無線局が、前記無線基地局間及び／又は前記無線基地局内間で、互いに通信動作状況を確認し合いながら、前記無線基地局間又は前記無線基地局内の前記移動無線局間の通信の中継を行う前記固定無線局の動作異常の正常復帰を行う固定無線局の復帰処理方法であって、
前記固定無線局は、マスター制御部とスレーブ制御部と送受信部とイーサネット（登録商標）制御部とを有し、前記スレーブ制御部はマスター動作異常検知部を有し、
前記スレーブ制御部の前記マスター動作異常検知部が前記マスター制御部の動作異常を検知するステップと、
前記スレーブ制御部が、強制リセット信号を前記マスター制御部へ送信するステップと、
前記マスター制御部が、前記強制リセット信号を受信して、前記中継動作を停止し前記正常復帰処理を行うステップと、
引き続き前記マスター制御部が、強制リセット信号を前記スレーブ制御部へ送信するステップと、
前記スレーブ制御部は、前記強制リセット信号を受信すると、同様に前記正常復帰処理を行うステップとを有することを特徴とする固定無線局の復帰処理方法。
【発明の詳細な説明】
【技術分野】
【０００１】
本発明は、固定無線局における動作異常の検知とその修復に関し、詳しくは、異常の検知に伴い固定無線局の復帰処理を行う復帰処理装置及び復帰処理方法に関する。
【背景技術】
【０００２】
図３は、無線基地局と移動無線局とによる無線通信システムの構成を示すシステム構成図である。無線基地局３００は、固定無線局２１０、２２０、２３０及びアンテナ２１４、２２４、２３４から構成される。固定無線局２１０、２２０、２３０は、それぞれイーサネット（登録商標）回線６０によりＩＰネットワーク４００に接続され、互いの通信動作状態を確認し合っている。固定無線局２１０は、周波数帯バンドＡにおいてアンテナ２１４を介し、自局内の移動無線局２１１〜２１３間、又は自局内の移動無線局２１１〜２１３のいずれかと他局の移動無線局との通信を中継している。
【０００３】
固定無線局２２０は、周波数帯バンドＢにおいてアンテナ２２４を介し、自局内の移動無線局２２１〜２２３間、又は自局内の移動無線局２２１〜２２３のいずれかと他局の移動無線局との通信を中継している。同様に固定無線局２３０は、周波数帯バンドＣにおいてアンテナ２３４を介し、自局内の移動無線局２３１〜２３３間、又は自局内の移動無線局２３１〜２３３のいずれかと他局の移動無線局との通信を中継している。
【０００４】
図４は、従来の固定無線局を示す回路ブロック図である。図４において固定無線局２４０は、マスター制御部１０とスレーブ制御部２０と送受信部３０とイーサネット制御部５０とを有する。マスター制御部１０は、スレーブ動作異常検知部１２を有し、スレーブ動作異常検知部１２は、動作状況確認用シリアル通信ポート線４０によりスレーブ制御部２０と接続している。またマスター制御部１０は、スレーブ用強制リセット信号線４２によりスレーブ制御部２０と接続している。さらにマスター制御部１０は、イーサネット制御部５０に接続され、イーサネット制御部５０は、イーサネット回線６０を介してＩＰネットワークと接続している。
【０００５】
図３における固定無線局２１０を、図４の固定無線局２４０により動作させるとする。マスター制御部１０は、イーサネット制御部５０を通して他の固定無線局２２０、２３０と動作状況を確認し合う機能と、自局の動作を統括する機能とを有している。スレーブ制御部２０は、送受信部３０の制御機能を有している。
【０００６】
これによりスレーブ制御部２０は、送受信部３０を制御して自局内の移動無線局２１１〜２１３との間、又は自局の移動無線局２１１〜２１３のいずれかと他の固定無線局２２０、２３０の移動無線局２２１〜２２３または２３１〜２３３のいずれかとの間の通信を、他の固定無線局２２０、２３０と連絡を取りながら中継し、動作状況確認用シリアル通信ポート線４０を介して、スレーブ動作異常検知部１２へ動作状況を伝送している。
【０００７】
マスター制御部１０のスレーブ動作異常検知部１２が、スレーブ制御部２０のソフト的不具合による暴走等の動作異常を検知すると、マスター制御部１０は、スレーブ用強制リセット信号線４２を介してスレーブ制御部２０を初期化し動作を復帰させる。ところが、マスター制御部１０がスレーブ制御部２０に対して強制リセットによる復帰処理を行うことはできるが、マスター制御部１０の動作異常を復帰させることはできなかった。特許文献１には、制御装置が上位制御機能のマイコンと下位制御機能のマイコンとで構成され、上位のマイコンが下位のマイコンとの通信不能を検知した場合、上位のマイコンは強制リセット手段によって下位のマイコンに対し強制リセットを行う旨の記載がされている。
【特許文献１】特開平９−２８２００２号公報
【発明の開示】
【発明が解決しようとする課題】
【０００８】
本発明は、このような問題を解決するためになされたものであり、その目的は、無線基地局内の固定無線局における動作異常を検知し、固定無線局の復帰処理を行う復帰処理装置及び復帰処理方法を提供することにある。
【課題を解決するための手段】
【０００９】
本発明の固定無線局の復帰処理装置は、複数の移動無線局が、所定の無線基地局の所定の固定無線局に属し、固定無線局が、無線基地局間及び／又は無線基地局内間で、互いに通信動作状況を確認し合いながら、無線基地局間又は無線基地局内の移動無線局間の通信の中継を行う固定無線局の動作異常の正常復帰を行う固定無線局の復帰処理装置であって、固定無線局は、マスター制御部とスレーブ制御部と送受信部とイーサネット制御部とを有し、スレーブ制御部はマスター動作異常検知部を有し、マスター制御部とスレーブ制御部とは動作状況確認用シリアルポート線とマスター用強制リセット信号線とスレーブ用強制リセット信号線とで接続され、スレーブ制御部のマスター動作異常検知部がマスター制御部の動作異常を検知すると、スレーブ制御部は、マスター用強制リセット信号線を介して強制リセット信号をマスター制御部へ送信し、マスター制御部は、強制リセット信号を受信すると中継動作を停止し、正常復帰を行うとともに、スレーブ用強制リセット信号線を介して強制リセット信号をスレーブ制御部へ送信し、スレーブ制御部は、強制リセット信号を受信すると、同様に正常復帰を行うことを特徴とする。
【００１０】
本発明の固定無線局の復帰処理装置のマスター制御部は、スレーブ動作異常検知部を有し、マスター制御部のスレーブ動作異常検知部がスレーブ制御部の動作異常を検知し、マスター制御部１０は、スレーブ用強制リセット信号線を介して強制リセット信号をスレーブ制御部へ送信し、スレーブ制御部は、強制リセット信号を受信すると、中継動作を停止し、正常復帰処理を行うことを特徴とする。
【００１１】
本発明の固定無線局の復帰処理装置のマスター制御部は、さらにリセット指令分析部を有し、無線基地局間又は無線基地局内の移動無線局間の通信の中継を行っている相手側の固定無線局のマスター制御部が動作異常を検知してリセット指令信号を自局へ送信すると、リセット指令分析部はリセット指令信号を検知してマスター制御部へ転送し、マスター制御部はリセット指令信号を受信すると中継動作を停止し、正常復帰処理を行うとともに、スレーブ用強制リセット信号線を介して強制リセット信号をスレーブ制御部へ送信し、スレーブ制御部は、強制リセット信号を受信すると、同様に正常復帰処理を行うことを特徴とする。
【００１２】
本発明の固定無線局の復帰処理方法は、複数の移動無線局が、所定の無線基地局の所定の固定無線局に属し、固定無線局が、無線基地局間及び／又は無線基地局内間で、互いに通信動作状況を確認し合いながら、無線基地局間又は無線基地局内の移動無線局間の通信の中継を行う固定無線局の動作異常の正常復帰を行う固定無線局の復帰方法であって、固定無線局は、マスター制御部とスレーブ制御部と送受信部とイーサネット制御部とを有し、スレーブ制御部はマスター動作異常検知部を有し、スレーブ制御部の前記マスター動作異常検知部がマスター制御部の動作異常を検知するステップと、スレーブ制御部が、強制リセット信号をマスター制御部へ送信するステップと、マスター制御部が、強制リセット信号を受信して、中継動作を停止し正常復帰を行うステップと、引き続きマスター制御部が、強制リセット信号をスレーブ制御部へ送信するステップと、スレーブ制御部は、強制リセット信号を受信すると、同様に正常復帰処理を行うステップとを有することを特徴とする。
【発明の効果】
【００１３】
本発明によれば、無線基地局内の固定無線局における動作異常を検知し、固定無線局のマスター制御部及びスレーブ制御部の正常復帰処理を行うことが可能となり、各部での動作異常をいち早く検知して正常復帰処理を行うとともに、マスター制御部及びスレーブ制御部で検知できなかった不具合を中継先の固定無線局が検知し、送信されてきたリセット指令に対して正常復帰処理を行うことも可能となる。
【発明を実施するための最良の形態】
【００１４】
本発明による固定無線局の復帰処理装置の実施の形態について、図を用いて説明する。図１は、本発明による固定無線局の構成を示す回路ブロック図である。図１において、固定無線局２００は、マスター制御部１０とスレーブ制御部２０と送受信部３０とイーサネット制御部５０とを有している。固定無線局２００のマスター制御部１０はイーサネット制御部５０に接続され、イーサネット制御部５０は、イーサネット回線６０を介してＩＰネットワーク４００に接続されている。又スレーブ制御部２０は、送受信部３０に接続されている。
【００１５】
復帰処理装置１００は、マスター制御部１０が有するリセット指令分析部１１とスレーブ動作異常検知部１２及びスレーブ制御部２０が有するマスター動作異常検知部２１とを具備し、マスター制御部１０とスレーブ制御部２０とは、動作状況確認用シリアル通信ポート線４０とマスター用強制リセット信号線４１とスレーブ用強制リセット信号線４２とにより接続されて構成される。
【００１６】
図３における固定無線局２１０を、図１の固定無線局２００により動作させるとする。マスター制御部１０は、イーサネット制御部５０を通して他の固定無線局２２０、２３０と動作状況を確認し合う機能と、自局の動作を統括する機能とを有している。スレーブ制御部２０は、送受信部３０の制御機能を有している。
【００１７】
これによりマスター制御部１０は、他の固定無線局２２０、２３０と動作状況を確認し合いながら、自局の動作を統括し、動作状況確認用シリアル通信ポート線４０を介して、マスター動作異常検知部２１へ動作状況を伝送している。スレーブ制御部２０は、送受信部３０を制御して自局内の移動無線局２１１〜２１３との間、又は自局の移動無線局２１１〜２１３のいずれかと他の固定無線局２２０、２３０の移動無線局２２１〜２２３または２３１〜２３３のいずれかとの間の通信を、他の固定無線局２２０、２３０と連絡を取りながら中継し、動作状況確認用シリアル通信ポート線４０を介して、スレーブ動作異常検知部１２へ動作状況を伝送している。
【００１８】
スレーブ制御部２０のマスター動作異常検知部２１がマスター制御部１０の動作異常を検知すると、スレーブ制御部２０は、マスター用強制リセット信号線４１をハイインピーダンスにすることで、マスター用強制リセット信号をマスター制御部１０へ送信する。マスター制御部１０は、強制リセット信号を受信すると、中継動作を停止し、リセット、スタートによる正常復帰処理を行う。引き続き、スレーブ用強制リセット信号線４２をハイインピーダンスにすることで、スレーブ用強制リセット信号をスレーブ制御部２０へ送信する。スレーブ制御部２０は、強制リセット信号を受信すると、マスター制御部１０と同様に正常復帰処理を実施した後、中継を再開する。
【００１９】
またマスター制御部１０のスレーブ動作異常検知部１２がスレーブ制御部２０の動作異常を検知すると、マスター制御部１０は、同様にスレーブ用強制リセット信号線４２を介して強制リセット信号をスレーブ制御部２０へ送信する。スレーブ制御部２０は、強制リセット信号を受信すると中継動作を停止し、正常復帰処理を行った後、中継を再開する。
【００２０】
今、固定無線局２００の移動無線局２１１と固定無線局２３０の移動無線局２３３とが通信中であり、固定無線局２００がソフトウエアの不具合等の動作異常を発生したにもかかわらず、マスター動作異常検知部２１及びスレーブ動作異常検知部１２のいずれにおいても動作異常を検知できなかったとする。固定無線局２３０は、固定無線局２００の動作異常を固定無線局２３０のマスター制御部１０で検知し、リセット指令を送信する。固定無線局２００のリセット指令分析手段１１は、ＩＰネットワーク４００、イーサネット回線６０、及びイーサネット制御部５０を介してリセット指令を受信し、マスター制御部１０に転送する。マスター制御部１０はこれを受信して中継動作をリセットし、正常復帰処理を行うとともに、スレーブ用強制リセット信号線４２を介して強制リセット信号をスレーブ制御部へ送信する。スレーブ制御部２０は、強制リセット信号を受信すると、マスター制御部１０と同様に正常復帰を行った後、中継を再開する。この正常復帰処理は、ＩＰネットワーク４００を介して複数の無線基地局が接続され、異なる無線基地局に属する移動無線局間で無線通信を行う場合も同様である。
【００２１】
図２は、本発明の固定無線局の復帰処理方法を示すフローチャートである。図２において、固定無線局が動作を開始し、スレーブ制御部のマスター動作異常検知部がマスター制御部の動作異常を検知する（ステップ１０、ステップ２０）。マスター動作異常検知部がマスター制御部の動作異常を検知すると、スレーブ制御部は、異常検出信号をマスター制御部へ送信する（ステップ３０）。また強制リセット信号をマスター制御部へ送信する（ステップ４０）。マスター制御部が、異常検出信号及び強制リセット信号を受信すると、中継動作を停止し正常復帰処理を行う（ステップ５０、ステップ６０）。またスレーブ制御部へ強制リセット信号を送信する（ステップ７０）。スレーブ制御部が強制リセット信号を受信すると、直ちに正常復帰処理を行う（ステップ８０、ステップ９０）。正常復帰処理が終了すると、再び中継を開始する（ステップ１００）。
【００２２】
以上説明したように、本発明によると、無線基地局内の固定無線局における動作異常を検知し、固定無線局のマスター制御部及びスレーブ制御部の正常復帰操作を行うことが可能となり、各部での動作異常をいち早く検知して正常復帰処理を行うとともに、マスター制御部及びスレーブ制御部で検知できなかった不具合を中継先の固定無線局が検知し、送信されてきたリセット指令に対して正常復帰処理を行うことも可能となる。
【図面の簡単な説明】
【００２３】
【図１】本発明による固定無線局の構成を示す回路ブロック図。
【図２】本発明の固定無線局の復帰処理方法を示すフローチャート。
【図３】無線基地局と移動無線局との無線通信システム構成を示すシステム構成図。
【図４】従来の固定無線局を示す回路ブロック図。
【符号の説明】
【００２４】
１０  マスター制御部
１１  リセット指令分析部
１２  スレーブ動作異常検知部
２０  スレーブ制御部
２１  マスター動作異常検知部
３０  送受信部
４０  動作状況確認用シリアルポート線
４１  マスター用強制リセット信号線
４２  スレーブ用強制リセット信号線
５０  イーサネット制御部
６０  イーサネット回線
１００  復帰処理装置
２００、２１０、２２０、２３０  固定無線局
２１１〜２１３、２２１〜２２３、２３１〜２３３  移動無線局
３００  無線基地局
４００  ＩＰネットワーク
バンドＡ、Ｂ、Ｃ  利用チャネルの有効無線周波数帯域
【図１】
2007300345.tif 000003
【図２】
2007300345.tif 000004
【図３】
2007300345.tif 000005
【図４】
2007300345.tif 000006